(57)【要約】 【課題】    従来のシモリ浮き仕掛は、複数のシモリ浮きすべてが固定されている為に、魚が餌を銜えて水中に引き込む際に抵抗がかかり、違和感から銜えた餌を放してしまうという問題があった。【解決手段】    本発明は上記目的を達成するために、釣針を結わえた釣り糸にウキ止めとスライド自在のシモリ浮きを交互に設置して、針先から第一個目のウキ止めまでの長さは水面から魚がいる深さと同じに合わせ、浮き止めの二個目以降は好みの等間隔に設定する仕掛けとした。この状態に於いて魚が針を銜えた場合、最小である第一個目のシモリ浮きが針先から数えて二個目の浮き止めに当るまでは殆ど抵抗がかからす、そのために針に付けられた餌を銜えた魚は違和感を覚えずに餌の付いた針をしっかりと口の中に銜え込み針掛かりがし易い仕掛となった。【選択図】  図１
2010226980.tif 000002
【特許請求の範囲】
【請求項１】
本発明は釣りに於ける複数のシモリ浮きを使用する仕掛けであって、針を結んだ釣り糸に固定的に設置した浮き止めを好みの間隔に設定して、その間に通されたそれぞれのシモリ浮きが、浮き止めから次の浮き止めまでの範囲でスライド自在になるようにした仕掛けである。
【発明の詳細な説明】
【技術分野】
【０００１】
本発明は、釣りにおける浮きのひとつであるシモリ浮き仕掛に関するものである。
【背景技術】
【０００２】
従来の釣りに使用するシモリ浮きの使用方法のひとつとして、水中に於ける魚が餌を銜えて移動する動きを釣り人が視認する当たりをとるための浮きとしての利用方があり、それは水に対して浮力を有する様々な素材で形成された球形或いは楕円球形で、球形に於いては中心に、又楕円球形に於いては長い方向に対してその中心にそれぞれ釣糸を挿通する為に穿孔された孔を有し、一個目は出来るだけ浮力を押さえた小さなシモリ浮きで、二個目は一個目より僅かに浮力及びサイズの大きなもので、さらに三個目は二個目より僅かに浮力及びサイズの大きなものであり、四個目以降は同様に浮力とサイズを大きくするか又は三個目と同じ浮力とサイズのものを任意の個数だけ並べて、釣り針が結ばれている側から小さな順にシモリの孔に釣糸を通し、針先から最小の一個目までの長さは水面から魚がいる深さと同じに合わせ、二個目以降は好みの等間隔に設定して、それぞれに釣糸が通っている穴に径が同じもので例えば爪楊枝を短く切断したもの等を押入することですべてを固定したシモリ浮き仕掛がある。
【発明の開示】
【発明が解決しようとする課題】
【０００３】
以上に述べた従来のシモリ浮き仕掛は、餌を銜えた時の当たりが小さな魚や浮力の大きな浮きの場合だと、違和感から銜えた餌を放してしまう魚を対象に使用される仕掛けであるが、すべてのシモリ浮きが固定されている為に、従来のある程度の浮力を持つ浮きよりは当たりが取りやすく又食い込みがよくなったものの、魚が餌を銜えて水中を進む時にはその抵抗による違和感は、ある程度軽減されているものの解消されずに残ったままであるという問題があった。
【０００４】
また、シモリ仕掛を用いる対象魚は前述の通り当たりが小さく判り難く、従来のシモリ浮き仕掛けでは釣り針を魚の口に確実に掛けるために行なう合わせの好機を逃すことがあるが、本発明は魚が餌を銜えたあとの合わせの好機を捉えやすくしたシモリ仕掛けである。
【課題を解決するための手段】
【０００５】
本発明は上記目的を達成するために、水に対して浮力を有する様々な素材で形成された球形或いは楕円球形で、球形に於いては中心に、又楕円球形に於いては長い方向に対してその中心にそれぞれ釣糸を挿通する為に穿孔された孔を有し、一個目は出来るだけ浮力を押さえた小さなシモリ浮きとし、二個目は一個目より僅かに浮力及びサイズの大きなものとし、さらに三個目は二個目より僅かに浮力及びサイズの大きなものとし、四個目以降は同様に浮力とサイズを大きくするか又は三個目と同じ浮力とサイズのものを任意の個数だけ並べて、釣り針が結ばれている側から小さな順にシモリ浮きの孔に釣糸を通す。この際、一個目の最小のシモリ浮きに釣糸を通す前に、釣糸にゴム或いは糸を巻き付けて結ぶ浮き止めを、一定以上の力を加えたときのみスライド可能となる程度に釣糸に固定的に設置して、次に最小のシモリ浮きをスライド自在に通し、また前述と同じ状態に浮き止めを設置して二個目のシモリ浮きをスライド自在に通し、三個目以降も任意の個数分繰り返し設置して最後に浮き止めを設置したあと釣針から一個目の浮き止めまでの長さは水面から魚がいる深さと同じに合わせ、スライド自在の最小のシモリ浮きの可動範囲を二個目以降は好みの間隔に設定して、それぞれのシモリ浮きが、浮き止めから次の浮き止めまでの任意に設定した範囲でスライド自在になるようにした仕掛けである。釣り糸の長さは、竿の長さに合わせて切断し竿先に結びつけるか、或いはリール等を使用している竿の場合リールから引き出した道糸に直接又はヨリ戻しを介して結びつける。
【０００６】
この発明のシモリ浮きに穿孔する孔の孔径は、挿通された釣糸に対してシモリ浮きがスライド自在の状態になるが、設置された浮き止めより先は通過出来ない大きさにする。その結果各シモリ浮きは、任意に設定した間隔で釣り糸に設置された浮き止めから浮き止めの範囲のみスライド自在となる。
【発明の効果】
【０００７】
本発明は上述したように、釣針を結わえた釣り糸にウキ止めとスライド自在のシモリ浮きを交互に設置して、針先から第一個目のウキ止めまでの長さは水面から魚がいる深さと同じに合わせ、浮き止めの二個目以降は好みの等間隔に設定する仕掛けとした。この仕掛けを水中に投入したあと、釣竿の操作により針先より数えて一番目の最小のシモリ浮きが手前に向かって水面を移動するまで釣り糸を引き戻した時の仕掛けの状態は、針先から数えて第一個目のウキ止めに最小のシモリ浮きが隣接しており,第二個目のウキ止めのあとにも二番目に小さいシモリ浮きが隣接しており、三番目以降のウキ止めとシモリ浮きも概ね同じ位置関係となる。この状態に於いて魚が針を銜えた場合、最小である第一個目のシモリ浮きが針先から数えて二個目の浮き止めに当るまでは殆ど抵抗がかからす、そのために針に付けられた餌を銜えた魚は違和感を覚えずに餌の付いた針をしっかりと口の中に銜え込み針掛かりがしやすくなった。
【０００８】
また、従来のシモリ浮き仕掛けでは、魚が餌の付いた針を銜えて水中に引き込むと同時に固定されたシモリ浮きも引き込まれ、釣り針を魚の口に確実に掛けるために行なう合わせの好機をシモリ浮きの沈み具合で捉えていたが、本発明は魚が餌を銜えたあと設定された範囲の距離に於いては殆ど抵抗がない為に向きを変えてしっかりと銜え込み、針から第一個目のシモリ浮きが動き始めた時が合わせの好機となるように浮き止めの間隔を設定することが可能であり、確実な針掛かりをし易くしたシモリ仕掛けである。
【発明を実施するための最良の形態】
【０００９】
以下、本発明の実施の形態を図１及び図２に基づいて説明する。
【実施例１】
【００１０】
図１は本発明を釣竿から導かれる釣り糸に直接或いはヨリ戻し等を介して結びつけ１０、水中に投入後の魚の当たり待ちの状態をイメージしたものである。釣針を結んだ釣り糸にウキ止め１、２、３、４、５とスライド自在のシモリ浮き６、７、８、９を交互に設置して、針先から第一個目のウキ止め１までの長さは水面から魚がいる深さと同じに合わせ、浮き止めの二個目２以降は好みの等間隔に設定する仕掛けとした。この仕掛けを水中に投入したあと、釣竿の操作により針先より一番目の最小のシモリ浮き１が手前１１に向かって水面を移動するまで釣り糸を引き戻した時の仕掛けの状態は、第一個目のウキ止め１に最小のシモリ浮き６が隣接しており,第二個目のウキ止め２のあとにも二番目に小さいシモリ浮き７が隣接しており、三番目以降のウキ止め３、４とシモリ浮き８、９も概ね同じ位置関係となる。
【実施例２】
【００１１】
この状態に於いて魚が針を銜えた場合、最小である第一個目のシモリ浮き６が針先から数えて二個目の浮き止め２に当るまでは殆ど抵抗がかからす、そのために針に付けられた餌を銜えた魚は違和感を覚えずに餌の付いた針をしっかりと口の中に銜え込み水中に引き込む１２ため針掛かりがしやすくなった。
【図面の簡単な説明】
【００１２】
【図１】本発明の当たり待ちの状態のイメージ図である。（実施例１）
【図２】本発明の魚が針を銜えて引き込む状態のイメージ図である（実施例２）
【符号の説明】
【００１３】
１、針先より数えて第一番目の浮き止め  ２、第二番目の浮き止め  ３、第三番目の浮き止め  ４、第四番目の浮き止め  ５、第五番目の浮き止め  ６、最小のシモリ浮き  ７、二番目に小さなシモリ浮き  ８、三番目に小さなシモリ浮き  ９、最大のシモリ浮き  １０、仕掛と道糸の結び目  １１、仕掛の引き戻し方向  １２、魚の引き込む方向  
【図１】
2010226980.tif 000003
【図２】
2010226980.tif 000004